(57)【特許請求の範囲】
【請求項１】
外筒と、これに回転可能に挿入された複数のタンブラー及び夫々のタンブラーを区画する仕切り板を備えた内筒と、該内筒の一部に配設され外筒方向へ突出するようバネ付勢されたロッキングバーとからなるレバータンブラー方式のシリンダー錠において、
前記各タンブラーは一部が相互に係合する第１のタンブラーと第２のタンブラーと、ブランクロック板とから構成され、前記第１のタンブラーと第２のタンブラーとの係合する位置を変更する事により前記各タンブラーの解錠位置を変更すると共に、
前記ブランクロック板は、このシリンダー錠の施錠状態においてキーの刻みの深さがなくキー山のないブランクキーのキーコードの固定により、第１のタンブラー及び第２のタンブラーが作動することなく何れのキー山であっても常に前記第１のタンブラーを解錠できる位置に固定保持できることを特徴とするレバータンブラー方式のシリンダー錠。
【請求項２】
ブランクロック板は、第２のタンブラーに回動可能に支持され、仕切り板の一部に係合することにより、第２のタンブラーを固定すると共に、このシリンダー錠の施錠状態においてキーの刻みの深さがなくキー山のないブランクキーのキーコードの固定により、第１のタンブラー及び第２のタンブラーが作動することなく何れのキー山であっても常に前記第１のタンブラーを解錠できる位置に固定保持できることを特徴とする請求項１記載のレバータンブラー方式のシリンダー錠。
【請求項３】
ブランクロック板は、第２のタンブラーに回動可能に支持され、仕切り板を貫いて配設された係止バーに係合することにより、第２のタンブラーを固定すると共に、このシリンダー錠の施錠状態においてキーの刻みの深さがなくキー山のないブランクキーのキーコードの固定により、第１のタンブラー及び第２のタンブラーが作動することなく何れのキー山であっても常に前記第１のタンブラーを解錠できる位置に固定保持できることを特徴とする請求項１記載のレバータンブラー方式のシリンダー錠。
【発明の詳細な説明】
【０００１】
【産業上の利用分野】
本発明は、錠前を分解する事なくキーの変換操作のみにより、キーコードを変換できると共に、マスターキーを自由に設定できるレバータンブラー方式のシリンダー錠に関するものである。
【０００２】
【従来の技術】
一般に、錠前においてマスターキーを設定しなければならない事が多々存在する。マスターキーを設定する場合、ピンタンブラー方式の錠においては、ピンとドライバーの間にマスターピンを挿入し、シャーラインの数を増すことにより設定していた。また、レバータンブラー方式の錠前の場合には、一つのタンブラーに２通りのゲートを作り、何れのゲート位置でも解錠できる様にしてマスターキーを設定していた。
【０００３】
【発明が解決しようとする課題】
ところで、上述した従来のピンタンブラー方式の錠においては、錠前を組み立てる際のピンとドライバーとマスターピンの構成により、設定できるマスターキーは決定されてしまい、別のマスターキーの構成を得ようとすると、別の構成のピンとドライバーとマスターピンを組み込まなければならなかった。
また、レバータンブラー方式の錠前の場合にも、別のマスターキーの構成を得ようとすると、別の構成のタンブラーを組み込まなければならなかった。
つまり、同一の構成のままで、マスターキーの設定を変更する事ができなかった。
【０００４】
本発明の目的は、上述した欠点に鑑みなされたものでマスターキーの変換を錠前を分解する事なく行う事のできると共に、一般的キーコードの変換もできるレバータンブラー方式のシリンダー錠を提供することにある。
【０００５】
本発明に係るレバータンブラー方式のシリンダー錠は、 外筒と、これに回転可能に挿入された複数のタンブラー及び夫々のタンブラーを区画する仕切り板を備えた内筒と、該内筒の一部に配設され外筒方向へ突出するようバネ付勢されたロッキングバーとからなるレバータンブラー方式のシリンダー錠において、前記各タンブラーは一部が相互に係合する第１のタンブラーと第２のタンブラーと、ブランクロック板とから構成され、前記第１のタンブラーと第２のタンブラーの係合する位置を変更する事により前記各タンブラーの解錠位置を変更すると共に、前記ブランクロック板は、このシリンダー錠の施錠状態においてキーの刻みの深さがなくキー山のないブランクキーのキーコードの固定により、第１のタンブラー及び第２のタンブラーが作動することなく何れのキー山であっても常に前記第１のタンブラーを解錠できる位置に固定保持できるものである。
また、前記ブランクロック板は、第２のタンブラーに回動可能に支持され、仕切り板の一部または仕切り板を貫いて配設された係止バーに係合することにより、第２のタンブラーを固定すると共に、このシリンダー錠の施錠状態においてキーの刻みの深さがなくキー山のないブランクキーのキーコードの固定により、第１のタンブラー及び第２のタンブラーが作動することなく何れのキー山であっても常に前記第１のタンブラーを解錠できる位置に固定保持できるものである。
【０００６】
【作用】
このように、本発明に係るレバータンブラー方式のシリンダー錠によれば、自由にマスターキーの変換が可能であると共に、キーコード変換もできる。
【０００７】
【実施例】
以下、添付図面に従って本発明の一実施例を説明する。図１は、本発明の一実施例であるレバータンブラー方式のシリンダー錠の縦断面図、図２は、同シリンダー錠に使用される第１のタンブラーを示す平面図、図３は、同シリンダー錠に使用される第２のタンブラーを示す平面図、図４は、仕切り板を示す平面図、図５は、タンブラー軸ガイド板を示す平面図、図６は、内筒カバーを示す正面図、図７は、ブランクロック板を示す正面図である。ここで、レバータンブラー方式のシリンダー錠は、外筒１０と、これに回転可能に挿入された複数の第１のタンブラー１４、第２のタンブラー１６及び夫々のタンブラーを区画する仕切り板１１を備えた内筒１２と、該内筒１２の一部に長手方向に亘って配設され外筒１０方向へ突出するようバネ付勢されたロッキングバー１３と、該第１のタンブラー１４を解錠位置で固定可能なブランクロック板２３とから構成されている。
【０００８】
外筒１０は、内周面の長手方向に沿ってロッキングバー１３の収納される凹部１０ａ，１０ｂを備えている。本実施例では、凹部１０ａ，１０ｂは、１８０度の位置に配置されているが、他の位置であってもよい。
【０００９】
第１のタンブラー１４は、図２に示す様に前記ロッキングバー１３の退避する切欠き凹部１４ａと第２のタンブラー１６と係合する係合用歯部１４ｂとブランクロック板２３の当接部２３ｄを押圧する押圧突起１４ｃとを備え軸穴１４ｄで第１のタンブラー軸１５に回動可能に支承されている（図１参照）。
第２のタンブラー１６は、図３に示す様に前記第１のタンブラー１４と噛合離脱可能な歯部１６ａと第１の板バネ１７及びブランクロック板２３の突起２３ｂを押圧付勢する第２の板バネ１８と挿入されたキー山と当接する凹部１６ｂと第２のタンブラー軸１９に回動可能に支承される軸穴１６ｃと、ブランクロック板２３を回動可能に支持する軸１６ｄとを有している。したがって、外筒１０内に配置された場合、第１の板バネ１７が内筒カバー２０の内周に当接し、第２のタンブラー１６を反時計方向に回転付勢する。
【００１０】
仕切り板１１は、図４に示す様に前記ロッキングバー１３を支持する切欠き凹部１１ａと、キー孔１１ｂと、第１のタンブラー軸１５の挿通される長穴１１ｃと第２のタンブラー軸１９の挿通される軸穴１１ｄと周囲に内筒カバー２０の係合する切欠き部１１ｅと回転制御軸２４の挿通される軸穴１１ｆとブランクロック板２３の凹部２３ｃと係合する突起１１ｇとが形成されており、隣接配置された前記第１のタンブラー１４と第２のタンブラー１６との組み合わせを各々区画する。
【００１１】
タンブラー軸ガイド板２１は、外筒の奥端に配設されＣリング３４で抜け止め止めされると共に、第１のタンブラー軸１５の奥端を支持するタンブラー軸ガイド溝２２−２を備えている。また、タンブラー軸ガイド溝２２−２は、前記外筒１０の凹部１０ｂと対向した位置に蛇行部２２ａを有している。したがって、タンブラー軸ガイド溝２２−２内を第１のタンブラー軸１５が回転すると、この蛇行部２２ａで図中右方向へ移動する（図５，９参照）。
【００１２】
内筒カバー２０は、図６（Ａ），（Ｂ）に示す様に円弧状板で複数の切欠き溝２０ａを有している。この切欠き溝２０ａに仕切り板１１の外周の一部が嵌合する。また、内筒カバー２０の前後には、庇２０ｂが形成されており、第１の内筒キャップ３０及び第２の内筒キャップ３２の一部に係合している。
【００１３】
ブランクロック板２３は、図１，９に示すように、第２のタンブラー１６の軸１６ｄに回動可能可能に支持される軸穴２３ａと、第２のタンブラー１６に固定された第２の板バネ１８に押圧される突起２３ｂと、仕切り板１１に立設された突起１１ｇと係合可能な凹部２３ｃと第１のタンブラー１４の押圧突起１４ｃと当接する当接部２３ｄとを有している。突起１１ｇの代わりに、錠前の長手方向に貫いた係止バーであってもよい。
【００１４】
図１０は、シリンダー錠にＮＯ．２のキー山の刻んであるキーを挿入した状態を示す縦断面図である。この状態で第１のタンブラー１４の切欠き凹部１４ａは、ロッキングバー１３と適合位置にあり解錠可能である。このまま、キーを９０度回転すると、図１１に示すようにロッキングバー１３は、図外のバネ力に抗して切欠き凹部１４ａ内に後退したまま、内筒１２が回転する。通常の解錠動作では、ここまでしか回転しない。
【００１５】
更に、キーを本実施例では、１８０度回転すると、図１２に示す様にロッキングバー１３が外筒１０の凹部１０ｂに入り込むと同時に、タンブラー軸ガイド溝２２の円周内を摺動していた第１のタンブラー軸１５は、蛇行部２２ａに乗り上げ、仕切り板１１の長穴１１ｃ内を図中右方向へ移動する（図９参照）。第１のタンブラー軸１５が移動すると、第１のタンブラー１４も長穴１１ｃ内を図中右に移動し、係合用歯部１４ｂと歯部１６ａとの係合が解除される。この状態でキーを抜くと、図１３に示す如く、第２のタンブラー１６は、第１の板バネ１７の付勢力により矢印Ａ方向に第２のタンブラー軸１９を中心に回動する。
【００１６】
図１３は、キーコード変換可能位置でシリンダー錠からキーを抜いた場合の、第１のタンブラー１４と第２のタンブラー１６とブランクロック板２３との関係を示す縦断面図である。ここで、第１のタンブラー１４の係合用歯部１４ｂと第２のタンブラー１６の歯部１６ａとは、離隔しており新たに挿入された任意のキー山に設定可能である。
【００１７】
次に、キーコードを固定する場合について説明する。キーコードの固定とは、第１のタンブラー１４が第２のタンブラー１６及びブランクロック板２３によりブランクキー（例えば、図１９に示すように、キーの刻みの深さがなくキー山のないNO.0）の位置に固定される事を云う。つまり、キーコードを固定した場合、図１６に示すこのシリンダー錠の施錠状態において、前記第１のタンブラーは、作動する事なく何れのキー山であっても常に解錠できる位置にある。
先ず、図１４に示す如く、キーコード変換位置にある錠にブランクキーを挿入する。ブランクキーを挿入すると、第２のタンブラー１６は第２のタンブラー軸１９を中心に第１の板バネ１７に抗して、時計方向へ最大限回動する。
【００１８】
この状態で内筒１２を回動すると、図１４，１５に示す如く第２のタンブラー１６に軸１６ｄで回動可能に支承されると共に、第２の板バネ１８で突起２３ｂを押圧付勢されていたブランクロック板２３は、第１のタンブラー１４の押圧突起１４ｃで軸１６ｄを中心に反時計方向へ回動される。すると、ブランクロック板２３の凹部２３ｃが仕切り板１１の突起１１ｇと係合する。これにより、ブランクロック板２３は、突起１１ｇにより固定されると共に、軸１６ｄで連結された第２のタンブラー１６も固定される。内筒１２が更に回動すると、第１のタンブラー１４の係合用歯部１４ｂと第２のタンブラー１６の歯部１６ａとが噛合する。したがって、第１のタンブラー１４もブランクロック板２３により固定された事となる。
【００１９】
第１のタンブラー１４が常にブランクロック板２３で解錠できる位置に固定される事により、タンブラーの働きは停止し、キー山に関係なく解錠する事ができる（図１６参照）。
【００２０】
次に、キーコード変換を行う場合について説明する。先ず、現在のキーコードに適合したキーを挿入し、内筒１２を変換位置まで１８０度回転させる。内筒１２を変換位置まで回転させると、図１２に示す如く、第１のタンブラー軸１５がタンブラー軸ガイド溝２２の蛇行部２２ａにしたがって図中右に移動し、第１のタンブラー１４の係合用歯部１４ｂと第２のタンブラー１６の歯部１６ａとの係合が解除される。
【００２１】
この状態で、新たなキーコードの鍵を挿入すると、第１の板バネ１７で矢印Ａ方向に付勢されていた、第２のタンブラー１６が刻みの深さに対応して、これとは逆方向に後退する（図１７参照）。この様に、長手方向に並んだ複数の第２のタンブラー１６の位置が、新たなキーコードの刻みの深さに対応して後退する。本実施例では、キーの刻みの深さＮＯ．２の断面について示す。
【００２２】
この状態で、内筒１２を元の位置に戻すと、第１のタンブラー１４の係合用歯部１４ｂと第２のタンブラー１６の歯部１６ａが係合し、新たなキーコードが確定する。この様に、第１のタンブラー１４と第２のタンブラー１６の噛み合い位置を変更する事により自由にキー山の設定ができる。したがって、同一のタンブラー部品を使用する事により、自由にキー山の設定が可能である。
【００２３】
次に、図１８〜２２を使用してマスターキーの設定について説明する。今、キー山が４個の場合について説明すると、マスターキー２５を図１８に示すようにキー山がＮＯ．１、ＮＯ．２、ＮＯ．３、ＮＯ．４の順に設定する。そして、第１の子鍵２６を図１９に示すように、ＮＯ．１、ＮＯ．０、ＮＯ．０、ＮＯ．０の順に設定する。同様に、第２の子鍵２７を図２０に示すように、ＮＯ．０、ＮＯ．２、ＮＯ．０、ＮＯ．０の順に設定する。第３の子鍵２８を図２１に示すように、ＮＯ．０、ＮＯ．０、ＮＯ．３、ＮＯ．０の順に設定する。第４の子鍵２９を図２２に示すように、ＮＯ．０、ＮＯ．０、ＮＯ．０、ＮＯ．４の順に設定する。
【００２４】
ここで各々の子鍵に対応する錠前は、ＮＯ．０  に対応するタンブラーが前述した様に、ブランクロック板２３でロックされているので、タンブラーは作動せず、キー山に関係なく解錠できる。つまり、マスターキー２５によれば、第１〜第４の子鍵で解錠できる錠前の何れであっても解錠する事ができる。逆に、第１の子鍵２６で解錠する錠前は、第２の子鍵２７〜第４の子鍵２９では解錠する事ができない。
【００２５】
以上の説明は、タンブラーが４群構成の場合について説明したが、タンブラーの構成を増す事により、子鍵の数を増やす事ができると共に、安全性を増す事ができる。尚、本発明は以上の実施例に限ることなく本発明の技術思想に基づいて種々の設計変更が可能である。
【００２６】
【発明の効果】
以上詳細に説明したように、本発明に係るレバータンブラー方式のシリンダー錠によれば、外筒と、これに回転可能に挿入された複数のタンブラー及び夫々のタンブラーを区画する仕切り板を備えた内筒と、該内筒の一部に配設され外筒方向へ突出するようバネ付勢されたロッキングバーとからなるレバータンブラー方式のシリンダー錠において、前記各タンブラーは一部が相互に係合する第１のタンブラーと第２のタンブラーと、ブランクロック板とから構成され、前記第１のタンブラーと第２のタンブラーとの係合する位置を変更する事により前記各タンブラーの解錠位置を変更すると共に、前記ブランクロック板は、このシリンダー錠の施錠状態においてキーの刻みの深さがなくキー山のないブランクキーのキーコードの固定により、第１のタンブラー及び第２のタンブラーが作動することなく何れのキー山であっても常に前記第１のタンブラーを解錠できる位置に固定保持できるので、キーコードの変換を自由に行う事ができる上にマスターキーを自由に設定できる。
【００２７】
また、前記ブランクロック板は、前記第２のタンブラーに回動可能に支持され、前記仕切り板の一部に係合することにより、第２のタンブラーを固定すると共に、該第２のタンブラーと係合した第１のタンブラーを解錠できる位置で固定保持できるので、任意の位置のタンブラーをロックする事が出来、マスターキーの設定が自由である。
【図面の簡単な説明】
【図１】本発明の一実施例であるレバータンブラー方式のシリンダー錠の縦断面図である。
【図２】同レバータンブラー方式のシリンダー錠に使用される第１のタンブラーを示す平面図である。
【図３】同レバータンブラー方式のシリンダー錠に使用される第２のタンブラーを示す平面図である。
【図４】同レバータンブラー方式のシリンダー錠に使用される仕切り板を示す平面図である。
【図５】同レバータンブラー方式のシリンダー錠に使用されるタンブラー軸ガイド板を示す平面図である。
【図６】同レバータンブラー方式のシリンダー錠に使用される内筒カバーを示す正面図である。
【図７】同レバータンブラー方式のシリンダー錠に使用されるブランクロック板を示す正面図である。
【図８】本発明の一実施例であるシリンダー式レバータンブラー方式のシリンダー錠の横断面図である。
【図９】本発明の一実施例であるレバータンブラー方式のシリンダー錠のタンブラー軸ガイド板部を示す縦断面図である。
【図１０】同シリンダー錠のキー挿入状態を示す縦断面図である。
【図１１】同シリンダー錠にキーを挿入し９０度回転した状態を示す縦断面図である。
【図１２】同シリンダー錠にキーを挿入し１８０度回転した状態（キーコード変換位置）を示す縦断面図である。
【図１３】同シリンダー錠のキーコード変換位置でキーを抜いた状態を示す縦断面図である。
【図１４】同シリンダー錠にブランクキーを挿入しタンブラーを固定した状態を示す縦断面図である。
【図１５】同シリンダー錠にブランクキーを挿入し９０度戻した状態を示す縦断面図である。
【図１６】同シリンダー錠にブランクキーを挿入し元の位置（キー挿入位置）に戻した状態を示す縦断面図である。
【図１７】同シリンダー錠に刻みの深さがＮＯ．２のキーを挿入した状態を示す縦断面図である。
【図１８】同シリンダー錠のマスターキーの一例を示す説明図である。
【図１９】同シリンダー錠のマスターキーに対する子キーの一例を示す説明図である。
【図２０】同シリンダー錠のマスターキーに対する子キーの一例を示す説明図である。
【図２１】同シリンダー錠のマスターキーに対する子キーの一例を示す説明図である。
【図２２】同シリンダー錠のマスターキーに対する子キーの一例を示す説明図である。
【符号の説明】
１０          外筒
１０ａ，ｂ          凹部
１１            仕切り板
１１ａ                切欠き凹部
１１ｂ                キー孔
１１ｃ                長穴
１１ｄ                軸穴
１１ｅ                切欠き部
１１ｇ                突起
１２                    内筒
１３          ロッキングバー
１４          第１のタンブラー
１４ａ                切欠き凹部
１４ｂ                係合用歯部
１４ｃ                押圧突起
１４ｄ                軸穴
１５          第１のタンブラー軸
１６          第２のタンブラー
１６ａ                歯部
１６ｂ                凹部
１６ｃ                軸穴
１６ｄ                軸
１７          第１の板バネ
１８          第２の板バネ
１９          第２のタンブラー軸
２０              内筒カバー
２０ａ                切欠き溝
２０ｂ                庇
２１          タンブラー軸ガイド板
２２          タンブラー軸ガイド溝
２２−１，−２    タンブラー軸ガイド溝
２２ａ                蛇行部
２３                    ブランクロック板
２３ａ                軸穴
２３ｂ                突起
２３ｃ                凹部
２３ｄ                当接部
２４                    回転制御軸
２５                    マスターキー
２６〜２９        子鍵
３４                    Ｃリング
【図１】
0003623978.tif 000002
【図２】
0003623978.tif 000003
【図３】
0003623978.tif 000004
【図４】
0003623978.tif 000005
【図５】
0003623978.tif 000006
【図６】
0003623978.tif 000007
【図７】
0003623978.tif 000008
【図８】
0003623978.tif 000009
【図９】
0003623978.tif 000010
【図１０】
0003623978.tif 000011
【図１１】
0003623978.tif 000012
【図１２】
0003623978.tif 000013
【図１３】
0003623978.tif 000014
【図１４】
0003623978.tif 000015
【図１５】
0003623978.tif 000016
【図１６】
0003623978.tif 000017
【図１７】
0003623978.tif 000018
【図１８】
0003623978.tif 000019
【図１９】
0003623978.tif 000020
【図２０】
0003623978.tif 000021
【図２１】
0003623978.tif 000022
【図２２】
0003623978.tif 000023